(57)【要約】【課題】ルアー自身の色あるいはデザインを変更できるルアーを提供する。【解決手段】ルアー１０は、ルアーフィッシングに使用されるルアーにおいて、ルアー自身の色あるいはデザインの少なくともいずれかを表示する液晶表示パネル１１と、液晶表示パネル１１に照明光を照射する光源１２と、液晶表示パネル１１及び光源１２を駆動する駆動回路２１と、駆動回路２１に電圧を供給する電源回路１５と、液晶表示パネル１１、光源１２、駆動回路２１、及び電源回路１５を収納したルアー形状の透明容器１８とを備える。【選択図】図１
2018023288.tif 000002
【特許請求の範囲】
【請求項１】
ルアーフィッシングに使用されるルアーにおいて、
ルアー自身の色あるいはデザインの少なくともいずれかを表示する液晶表示パネルと、
前記液晶表示パネルに照明光を照射する光源と、
前記液晶表示パネル及び前記光源を駆動する駆動回路と、
前記駆動回路に電圧を供給する電源と、
前記液晶表示パネル、前記光源、前記駆動回路、及び前記電源を収納したルアー形状の容器と、
を具備することを特徴とするルアー。
【請求項２】
ルアー自身の色あるいはデザインは、魚を誘う疑似餌のような働きをもつことを特徴とする請求項１に記載のルアー。
【請求項３】
外部から表示信号を受信する通信部と、
前記通信部にて受信した前記表示信号に基づいて、前記駆動回路を動作させ、前記液晶表示パネルの表示を制御する制御回路と、
をさらに具備することを特徴とする請求項１または２に記載のルアー。
【請求項４】
水温、気温、水の色、周囲の明るさの少なくともいずれかを検出するセンサーをさらに備え、
前記制御回路は、前記センサーにより検出された検出結果に応じて、前記液晶表示パネルの表示を切り換えることを特徴とする請求項３に記載のルアー。
【請求項５】
前記液晶表示パネルにおける表示の開始からの経過時間を計測するタイマーをさらに備え、
前記制御回路は、前記経過時間に応じて前記液晶表示パネルの表示を切り換えることを特徴とする請求項３乃至４のいずれかに記載のルアー。
【請求項６】
前記液晶表示パネルは、魚あるいは昆虫のいずれかを表示することを特徴とする請求項１乃至５のいずれかに記載のルアー。
【請求項７】
ルアーフィッシングに使用されるルアーにおいて、
ルアー自身の色あるいはデザインの少なくともいずれかを表示する表示パネルと、
前記表示パネルを駆動する駆動回路と、
前記駆動回路に電圧を供給する電源と、
前記表示パネル、前記駆動回路、及び前記電源を収納したルアー形状の容器と、
を具備することを特徴とするルアー。
【請求項８】
前記表示パネルは有機ＥＬ表示装置であることを特徴とする請求項７に記載のルアー。
【請求項９】
前記表示パネルは電気泳動を利用した表示装置であることを特徴とする請求項７に記載のルアー。
【請求項１０】
前記表示パネルは、魚あるいは昆虫のいずれかを表示することを特徴とする請求項７乃至９のいずれかに記載のルアー。
【請求項１１】
前記容器に設けられ、フックまたは釣り糸の少なくともいずれかを取付けるアイをさらに備えることを特徴とする請求項１乃至１０のいずれかに記載のルアー。
【発明の詳細な説明】
【技術分野】
【０００１】
本発明は、ルアーフィッシングに使用されるルアーに関するものである。
【背景技術】
【０００２】
通常、ルアーフィッシングでは、その時の釣り場における水の色や時刻、ベイト（魚の餌となる生き物）に応じてルアーを変える必要がある。例えば、ルアーの色を変えながら使用し、魚がヒットするルアー（ヒットパターン）を探していく（所謂、カラーローテーション）。このため、カラーローテーションを行う場合、釣り場に多数のルアーを持って行かなければならず、携帯上不便なものとなっている。また、多数のルアーを準備する必要があるため、経費も増加してしまう。
【０００３】
従来では、水中情報を液晶表示装置で表示するルアー、例えば魚群探知センサーを内蔵したルアーが提案されている（特許文献１）。しかしながら、このルアーは、水中情報を表示するものであって、ルアー自身の色やデザイン、すなわち魚を誘う疑似餌のような働きを持つ色やデザインを表示することはできない。
【先行技術文献】
【特許文献】
【０００４】
【特許文献１】特開２０００−２２４９４０号公報
【発明の概要】
【発明が解決しようとする課題】
【０００５】
本発明は、ルアー自身の色あるいはデザインを変更できるルアーを提供する。
【課題を解決するための手段】
【０００６】
本発明の一態様に係るルアーは、ルアーフィッシングに使用されるルアーにおいて、ルアー自身の色あるいはデザインの少なくともいずれかを表示する液晶表示パネルと、前記液晶表示パネルに照明光を照射する光源と、前記液晶表示パネル及び前記光源を駆動する駆動回路と、前記駆動回路に電圧を供給する電源と、前記液晶表示パネル、前記光源、前記駆動回路、及び前記電源を収納したルアー形状の容器とを具備する。
【図面の簡単な説明】
【０００７】
【図１】図１は、第１実施形態のルアーの構成を示す図である。
【図２】図２は、図１におけるＡ−Ａ線に沿った断面図である。
【図３】図３は、第１実施形態のルアーの機能ブロック図である。
【図４】図４は、第１実施形態における液晶表示パネルの構成を示す断面図である。
【図５Ａ】図５Ａは、第１実施形態のルアーの表示例を示す図である。
【図５Ｂ】図５Ｂは、第１実施形態のルアーの表示例を示す図である。
【図５Ｃ】図５Ｃは、第１実施形態のルアーの表示例を示す図である。
【図６】図６は、変形例のルアーの表示に用いる有機ＥＬ表示パネルの断面図である。
【図７】図７は、変形例のルアーの表示に用いる電気泳動表示パネルの断面図である。
【図８】図８は、第２実施形態のルアーの構成を示す断面図である。
【図９】図９は、第２実施形態における液晶表示パネルの構成を示す断面図である。
【発明を実施するための形態】
【０００８】
以下、実施形態について図面を参照して説明する。ただし、図面は模式的または概念的なものであり、各図面の寸法および比率などは必ずしも現実のものと同一とは限らないことに留意すべきである。また、図面の相互間で同じ部分を表す場合においても、互いの寸法の関係や比率が異なって表される場合もある。特に、以下に示す幾つかの実施形態は、本発明の技術思想を具体化するための装置および方法を例示したものであって、構成部品の形状、構造、配置などによって、本発明の技術思想が特定されるものではない。なお、以下の説明において、同一の機能及び構成を有する要素については同一符号を付し、重複説明は必要な場合にのみ行う。
【０００９】
［１］第１実施形態
本発明の第１実施形態のルアーについて説明する。ルアーは、ルアーフィッシングにおいて使用される道具の１つであり、例えばルアーの色やデザイン、動き等により魚を誘う疑似餌のような働きを持つ。本実施形態は、液晶表示パネルによりルアー自身の色やデザインを変更することにより、様々な種類のルアーとして機能させる。例えば、ルアーには液晶表示パネルにより様々な色や、魚、昆虫など図案が表示される。
【００１０】
［１−１］ルアーの構成
図１は、第１実施形態のルアーの構成を示す図である。図２は、図１におけるＡ−Ａ線に沿った断面図である。ルアー１０は、液晶表示パネル１１、光源１２、導光板１３、基板１４、電源回路１５、センサー１６、通信部１７、透明容器１８、及びアイ１９を備えている。
【００１１】
液晶表示パネル１１は、ルアー自身の色あるいはデザイン等を変更し、対象魚を誘うための例えば様々な色や、魚、昆虫類等の表示を行う。液晶表示パネル１１は、カラーフィルタを有する透過型の液晶パネルである。液晶表示パネル１１の詳細については後述する。
【００１２】
光源１２は、液晶表示パネル１１に光を供給する。光源１２は、例えばＬＥＤで構成され、白色光を出力する。導光板１３は、光源１２から発光された光を液晶表示パネル１１の表示領域に均一に導く。
【００１３】
図３に、第１実施形態のルアー１０の機能ブロックを示す。基板１４は、駆動回路２１、制御回路２２、記憶回路２３、及びタイマー２４を有する。駆動回路２１は、駆動電圧を液晶表示パネル１１及び光源１２に供給する。制御回路２２は、駆動回路２１、記憶回路２３、タイマー２４、電源回路１５、及び通信部１７等を含むルアー１０の動作を制御する。記憶回路２３は、液晶表示パネル１１の表示、光源１２等を制御するための制御プログラムを記憶している。タイマー２４は、様々な時間を計測し、計測した時間を制御回路２２に通知する。例えば、タイマー２４は、所定の色あるいはデザインの表示開始からの時間を計測し、計測信号を制御回路２２に出力する。
【００１４】
電源回路１５は、ルアー１０内の電源を必要とする回路、例えば液晶表示パネル１１、光源１２、基板１４に搭載された回路、センサー１６、及び通信部１７に電源電圧を供給する。電源回路１５は、例えば乾電池等の一次電池、または充電池等の二次電池、または太陽電池である。
【００１５】
センサー１６は、水温、気温、水の色、周囲の明るさの少なくともいずれかを検出し、検出した結果を制御回路２２に出力する。通信部１７は、外部の通信手段との間で信号の送受信を行う。すなわち、通信部１７は、外部の通信手段から信号を受信し、受信した信号を制御回路２２に出力する。また、制御回路２２から信号を受け取り、受け取った信号を外部の通信手段に送信する。外部の通信手段は、例えば携帯通信機器（携帯電話、スマートホン等）やパーソナルコンピュータ等である。通信部１７と外部の通信手段との間は、無線あるいは有線にて信号が送受信される。
【００１６】
透明容器１８は、透明部材からなり、ルアーの外形を有する。透明容器１８は、樹脂、例えばポリエチレンテレフタレート（ＰＥＴ）から形成される。透明容器１８は、前述した液晶表示パネル１１、光源１２、導光板１３、基板１４、電源回路１５、センサー１６、及び通信部１７をその内部に収納している。透明容器１８の内部に水分や異物が進入しないように、透明容器１８によりその内部が密閉される。透明容器１８内部の空間は、ドライエア、ドライ窒素で充填されるか、あるいは真空になっている。透明容器１８内部には、乾燥剤、例えばシリカゲルが置かれていてもよい。例えば、透明容器１８は、２つの円弧形状の樹脂部材が接着部１８Ａにて接着剤により接着されて形成される。
【００１７】
アイ１９は、透明容器１８の外形に複数取付けられている。アイ１９にはフックあるいは釣り糸などが結ばれる。
【００１８】
［１−１−１］液晶表示パネル
図４は、第１実施形態における液晶表示パネル１１の構成を示す断面図である。導光板１３の一方の面に液晶表示パネル１１が配置され、導光板１３の他方の面に反射膜１３Ａが配置される。
【００１９】
液晶表示パネル１１は、ＴＦＴ（Thin Film Transistor）及び画素電極等が形成されるＴＦＴ基板３１と、カラーフィルタ及び共通電極等が形成され、かつＴＦＴ基板３１に対向配置されるカラーフィルタ基板（ＣＦ(Color Filter）基板）３２と、ＴＦＴ基板３１及びＣＦ基板３２間に挟持された液晶層３３とを備える。
【００２０】
ＴＦＴ基板３１及びＣＦ基板３２の各々は、透明基板（例えば、ガラス基板）から構成される。ＴＦＴ基板３１の液晶層３３と反対側の面には偏光板３４が配置される。さらに、ＣＦ基板３２の液晶層３３と反対側の面には偏光板３５が配置される。
【００２１】
ＴＦＴ基板３１は、前述したように、導光板１３に対向配置される。光源１２から照射された照明光は、導光板１３により導かれ、反射膜１３Ａにて反射され、さらに偏光板３４を通り、ＴＦＴ基板３１側から液晶表示パネル１１に入射する。ＣＦ基板３２の液晶層３３と反対側の面が液晶表示パネル１１の表示面である。
【００２２】
ＴＦＴ基板３１とＣＦ基板３２は、空間を保ってシール材３６により貼り合わせられている。ＴＦＴ基板３１、ＣＦ基板３２、及びシール材３６によって囲まれた空間には、液晶材料が封入され、液晶層３３を形成している。
【００２３】
液晶層３３が含む液晶材料は、ＴＦＴ基板３１及びＣＦ基板３２間に印加された電界に応じて、液晶分子の配向が操作されて光学特性が変化する。また、液晶層３３は、誘電異方性を有する液晶分子を備えた液晶層から構成され、例えば、ネマティック液晶から構成される。ネマティック液晶の液晶分子は、外部電界に応じて電気分極が生じる。液晶モードとしては、例えばＶＡ（Vertical Alignment）モードが用いられるが、勿論、ＴＮ（Twisted Nematic）モードやホモジニアスモードなど他の液晶モードであってもよい。
【００２４】
ＴＦＴ基板３１の液晶層３３側には、複数のスイッチング素子、例えば前述したＴＦＴ（Thin Film Transistor）３７が設けられる。ＴＦＴ３７は、走査線に電気的に接続されたゲート電極と、ゲート電極上に設けられたゲート絶縁膜と、ゲート絶縁膜上に設けられた半導体層（例えばアモルファスシリコン層）と、半導体層上に離間して設けられたソース電極及びドレイン電極とを備える。ソース電極は、信号線に電気的に接続される。ＴＦＴ３７上には、絶縁層３８が設けられる。絶縁層３８上には、複数の画素電極３９が設けられる。画素電極３９はドレイン電極にそれぞれ電気的に接続される。
【００２５】
ＣＦ基板３２の液晶層３３側には、カラーフィルタ４０が設けられる。カラーフィルタ４０は、複数の着色フィルタ（着色部材）を備える。具体的には、複数の赤フィルタ４０Ｒ、複数の緑フィルタ４０Ｇ、及び複数の青フィルタ４０Ｂを備える。一般的なカラーフィルタは、光の三原色である赤（Ｒ）、緑（Ｇ）、青（Ｂ）で構成される。隣接したＲ、Ｇ、Ｂの三色のセットが表示の単位（画素）となっており、１つの画素中のＲ、Ｇ、Ｂのいずれか単色の部分はサブピクセル（サブ画素）と呼ばれる最小駆動単位である。ＴＦＴ３７及び画素電極３９は、サブピクセルごとに設けられる。以下の説明では、画素とサブ画素との区別が特に必要な場合を除き、サブ画素を画素と呼ぶものとする。
【００２６】
赤フィルタ４０Ｒ、緑フィルタ４０Ｇ、及び青フィルタ４０Ｂの境界部分、及び画素（サブピクセル）の境界部分には、遮光用のブラックマトリクス（遮光膜）（図示せず）が設けられる。すなわち、ブラックマトリクスは、網目状に形成される。ブラックマトリクスは、例えば、着色部材間の不要な光を遮蔽し、コントラストを向上させるために設けられる。
【００２７】
カラーフィルタ４０及びブラックマトリクス上には、共通電極４１が設けられる。共通電極４１は、液晶表示パネル１１の表示領域全体に平面状に形成される。偏光板３４、３５は、ＴＦＴ基板３１及びＣＦ基板３２を挟むように設けられる。画素電極３９及び共通電極４１は、透明電極から構成され、例えばＩＴＯ（インジウム錫酸化物）が用いられる。
【００２８】
［１−２］ルアーの表示例
図５Ａ、図５Ｂ及び図５Ｃは、第１実施形態のルアー１０の表示例を示す図である。ルアー１０（透明容器１８）内部に配置された液晶表示パネル１１を用いて、図５Ａに示すように、ルアー１０に魚の鱗のような表示を行うことができる。また、図５Ｂあるいは図５Ｃに示すように、魚の表示を行うことができる。
【００２９】
以下に、これらの表示を、ルアー１０に行う場合の動作を説明する。まず、通信部１７は、外部の通信手段から図５Ａあるいは図５Ｂ、図５Ｃに示す表示を指示する表示信号を受信する。通信部１７は、受信した表示信号を制御回路２２に送信する。制御回路２２は、表示信号に基づいて記憶回路２３から表示のための制御プログラムを読み出し、制御プログラムに基づいて駆動回路２１及び電源回路１５を制御する。これにより、ルアー１０は、表示信号に基づいて図５Ａあるいは図５Ｂ、図５Ｃに示すような図案を表示する。
【００３０】
また、センサー１６により釣り場の水温、気温、水の色、周囲の明るさの少なくともいずれかを検出し、検出結果に基づいてルアー１０の表示を切り換えることも可能である。この場合、このような動作モードを実行するためのプログラムを記憶回路２３に記憶しておき、制御回路２２に読み出して使用してもよいし、外部の通信手段から通信部１７を介してプログラムを制御回路２２に直接送信するようにしてもよい。また、タイマー２４によりルアー１０の表示時間を計測し、所定の時間が経過後に、ルアー１０の表示を切り換えるようにしてもよい。
【００３１】
［１−３］その他の表示パネル
前述の実施形態では液晶表示パネル１１を用いたが、液晶表示パネルに換えて、有機ＥＬ表示パネルや電気泳動による表示パネルを用いることも可能である。
【００３２】
図６に、本実施形態に用いられる有機ＥＬ表示パネルの断面図を示す。有機ＥＬ表示パネル５０は、ＴＦＴ（Thin Film Transistor）及び画素電極等が形成されるＴＦＴ基板５１と、ＴＦＴ基板５１に対向配置される封止基板５２と、ＴＦＴ基板５１と封止基板５２間に挟持された有機ＥＬ層５３とを備える。ＴＦＴ基板５１及び封止基板５２の各々は、透明基板（例えば、ガラス基板）から構成される。
【００３３】
ＴＦＴ基板５１の有機ＥＬ層５３側には、複数のスイッチング素子、例えばＴＦＴ（Thin Film Transistor）５４が設けられる。ＴＦＴ５４は、走査線に電気的に接続されたゲート電極と、ゲート電極上に設けられたゲート絶縁膜と、ゲート絶縁膜上に設けられた半導体層（例えばアモルファスシリコン層）と、半導体層上に離間して設けられたソース電極及びドレイン電極とを備える。ソース電極は、信号線に電気的に接続される。ＴＦＴ５４上には、絶縁層５５が設けられる。絶縁層５５上には、複数の画素電極５６が設けられる。画素電極５６はドレイン電極にそれぞれ電気的に接続される。
【００３４】
封止基板５２の有機ＥＬ層５３側には、カラーフィルタ５７が設けられる。前述した液晶表示パネル１１と同様に、カラーフィルタ５７は、複数の赤フィルタ５７Ｒ、複数の緑フィルタ５７Ｇ、及び複数の青フィルタ５７Ｂを備える。ＴＦＴ５４、画素電極５６、及び有機ＥＬ層５３は、サブピクセルごとに設けられる。以下の説明でも同様に、画素とサブ画素との区別が特に必要な場合を除き、サブ画素を画素と呼ぶものとする。
【００３５】
赤フィルタ５７Ｒ、緑フィルタ５７Ｇ、及び青フィルタ５７Ｂの境界部分、及び画素（サブピクセル）の境界部分には、遮光用のブラックマトリクス（遮光膜）（図示せず）が設けられる。ブラックマトリクスは、例えば、着色部材間の不要な光を遮蔽し、コントラストを向上させる。カラーフィルタ５７及びブラックマトリクス上には、共通電極５８が設けられる。共通電極５８は、有機ＥＬ表示パネルの表示領域全体に平面状に形成される。
【００３６】
有機ＥＬ層５３はＴＦＴ基板５１と封止基板５２間に配置され、これらＴＦＴ基板５１、封止基板５２、及び接着剤等により封止（あるいは密封）される。
【００３７】
このような有機ＥＬ表示パネル５０では、ＴＦＴ５４をオン状態あるいはオフ状態にすることにより、画素電極５６と共通電極５８間に印加する電圧を制御する。これにより、画素ごとに有機ＥＬ層５３を発光あるいは非発光として、有機ＥＬ表示パネル５０に表示を行う。
【００３８】
図７に、本実施形態に用いられる電気泳動表示パネルの断面図を示す。電気泳動表示パネル６０は、画素電極等が形成される基板６１と、共通電極が形成され、かつ基板６１に対向配置される基板６２と、基板６１及び基板６２間に挟持されたマイクロカプセル殻６３とを備える。基板６１及び基板６２の各々は、透明基板（例えば、ガラス基板）から構成される。マイクロカプセル殻６３は、負の電荷を持つ黒色粒子６３Ａ及び正の電荷を持つ白色粒子６３Ｂを有する。
【００３９】
基板６１のマイクロカプセル殻６３側には、前述した画素電極６４が設けられる。基板６１のマイクロカプセル殻６３と反対側には、画素電極６４に対応するようにカラーフィルタ６５が設けられる。前述した液晶表示パネル１１と同様に、カラーフィルタ６５は、複数の赤フィルタ６５Ｒ、複数の緑フィルタ６５Ｇ、及び複数の青フィルタ６５Ｂを備える。赤フィルタ６５Ｒ、緑フィルタ６５Ｇ、及び青フィルタ６５Ｂの境界部分には、遮光用のブラックマトリクス（遮光膜）（図示せず）を設けてもよい。
【００４０】
基板６２のマイクロカプセル殻６３側には、前述した共通電極６６が設けられる。基板６２のマイクロカプセル殻６３と反対側には、画素電極６４及びカラーフィルタ６５に対応するようにカラーフィルタ６７が設けられる。前述と同様に、カラーフィルタ６７は、複数の赤フィルタ６７Ｒ、複数の緑フィルタ６７Ｇ、及び複数の青フィルタ６７Ｂを備える。赤フィルタ６７Ｒ、緑フィルタ６７Ｇ、及び青フィルタ６７Ｂの境界部分には、遮光用のブラックマトリクス（図示せず）を設けてもよい。
【００４１】
このような電気泳動表示パネル６０では、各画素電極６４と共通電極６６間の電界の向きを制御することにより、画素ごとにマイクロカプセル殻６３内の黒色粒子６３Ａ、及び白色粒子６３Ｂが、画素電極６４と共通電極６６のいずれの電極に引きつけられるかを制御する。これにより、電気泳動表示パネル６０に表示を行う。
【００４２】
［１−４］第１実施形態の効果
本実施形態によれば、ルアー自身の色あるいはデザインを変更できるルアーを提供することができる。ルアー自身の色あるいはデザインとは、魚を誘う疑似餌のような働きをもつ色やデザインをさす。
【００４３】
以下に、第１実施形態の効果について詳細に説明する。ルアーフィッシングでは、色あるいは模様、デザインが異なるルアーを取り換えながらフィッシングが実行される。この場合、色あるいは模様、デザインが異なる複数のルアーを準備する必要があり、携帯上、不便なものとなっている。
【００４４】
本実施形態では、液晶表示パネル１１あるいは有機ＥＬ表示パネル５０、電気泳動表示パネル６０等の表示パネルにより、ルアー１０に色あるいは模様、デザインが異なる複数の表示を行うことができる。これにより、複数のルアーを準備し携帯するのと同等以上の効果を得ることができる。さらに、本実施形態のルアーでは、色あるいは模様、デザインが異なる膨大な種類の表示が可能であるため、多種多様なルアーを提供できる。
【００４５】
［２］第２実施形態
次に、本発明の第２実施形態のルアーについて説明する。第１実施形態では、導光板の一方の面に液晶表示パネルが配置された例を示したが、第２実施形態では導光板の両面に液晶表示パネルが配置された例を説明する。液晶表示パネルを除くその他の構成は前述した第１実施形態と同様である。
【００４６】
［２−１］ルアーの構成
図８は、第２実施形態のルアーの断面図であり、図１におけるＡ−Ａ線に沿った断面を示す。透明容器１８の内部には、導光板１３、光源１２、及び導光板１３の両面に配置された液晶表示パネル１１Ａ、１１Ｂが収納される。
【００４７】
［２−１−１］液晶表示パネル
図９は、第２実施形態における液晶表示パネル１１Ａ、１１Ｂの構成を示す断面図である。導光板１３の一方の面に液晶表示パネル（以下、第１液晶パネルと記す）１１Ａが配置され、一方の面と反対側の他方の面に液晶表示パネル（以下、第２液晶パネルと記す）１１Ｂが配置される。導光板１３の入射面（側面）には光源１２が配置される。
【００４８】
液晶表示パネル１１Ａは、反射偏光板３４Ａを除き、図４に示した液晶表示パネル１１の構成と同様である。反射偏光板３４Ａは偏光板３４上に配置されている。液晶表示パネル１１Ｂは、導光板１３に対して液晶表示パネル１１Ａが面対称に配置された構成を有する。
【００４９】
光源１２から発光された光は、導光板１３に導かれ、導光板１３の両面に配置された液晶表示パネル１１Ａ、１１Ｂの表示領域に照射される。液晶表示パネル１１Ａの偏光板３４は第１方向の吸収軸を有する。さらに、液晶表示パネル１１Ａの反射偏光板３４Ａは前記第１方向の反射軸を有する。一方、液晶表示パネル１１Ｂの偏光板３４は、第１方向と直交する第２方向の吸収軸を有する。さらに、液晶表示パネル１１Ｂの反射偏光板３４Ａは前記第２方向の反射軸を有する。
【００５０】
これにより、導光板１３から液晶表示パネル１１Ａに照射された光のうち、第１方向に振動する光が液晶表示パネル１１Ａの反射偏光板３４Ａにより反射されて、液晶表示パネル１１Ｂに入射する。一方、導光板１３から液晶表示パネル１１Ｂに照射された光のうち、第２方向に振動する光が液晶表示パネル１１Ｂの反射偏光板３４Ａにより反射されて、液晶表示パネル１１Ａに入射する。この結果、導光板１３から照射される光を有効に利用することが可能である。
【００５１】
［２−２］第２実施形態の効果
本実施形態によれば、ルアー自身の色あるいはデザインを変更できるルアーを提供することができる。さらに、本実施形態では、ルアーの片面だけではなく、ルアーの両面に表示を行うことができるため、表示精度の高いルアーを構成することができる。その他の効果は前述した第１実施形態と同様である。
【００５２】
［３］その他変形例等
本発明は、上記実施形態に限定されるものではなく、その要旨を逸脱しない範囲内で、構成要素を変形して具体化することが可能である。さらに、上記実施形態には種々の段階の発明が含まれており、１つの実施形態に開示される複数の構成要素の適宜な組み合わせ、若しくは異なる実施形態に開示される構成要素の適宜な組み合わせにより種々の発明を構成することができる。例えば、実施形態に開示される全構成要素から幾つかの構成要素が削除されても、発明が解決しようとする課題が解決でき、発明の効果が得られる場合には、これらの構成要素が削除された実施形態が発明として抽出されうる。
【符号の説明】
【００５３】
１０…ルアー、１１…液晶表示パネル、１２…光源、１３…導光板、１３Ａ…反射膜、１４…基板、１５…電源回路、１６…センサー、１７…通信部、１８…透明容器、１９…アイ、２１…駆動回路、２２…制御回路、２３…記憶回路、２４…タイマー、３１…ＴＦＴ基板、３２…カラーフィルタ基板（ＣＦ基板）、３３…液晶層、３４，３５…偏光板、３６…シール材、３７…ＴＦＴ（Thin Film Transistor）、３８…絶縁層、３９…画素電極、４０…カラーフィルタ、４０Ｒ…赤フィルタ、４０Ｇ…緑フィルタ、４０Ｂ…青フィルタ、４１…共通電極、５０…有機ＥＬ表示パネル、５１…ＴＦＴ基板、５２…封止基板、５３…有機ＥＬ層、５４…ＴＦＴ、５５…絶縁層、５６…画素電極、５７…カラーフィルタ、５７Ｒ…赤フィルタ、５７Ｇ…緑フィルタ、５７Ｂ…青フィルタ、５８…共通電極、６０…電気泳動表示パネル、６１…基板、６２…基板、６３…マイクロカプセル殻、６３Ａ…黒色粒子、６３Ｂ…白色粒子、６４…画素電極、６５…カラーフィルタ、６６…共通電極、６７…カラーフィルタ。
【図１】
2018023288.tif 000003
【図２】
2018023288.tif 000004
【図３】
2018023288.tif 000005
【図４】
2018023288.tif 000006
【図５Ａ】
2018023288.tif 000007
【図５Ｂ】
2018023288.tif 000008
【図５Ｃ】
2018023288.tif 000009
【図６】
2018023288.tif 000010
【図７】
2018023288.tif 000011
【図８】
2018023288.tif 000012
【図９】
2018023288.tif 000013